(57)【要約】【課題】組立性の向上及びコストの低減を図ることができ、しかも、破砕物の外部排出作業の信頼性が向上する木材破砕装置を提供する。【解決手段】軸心Ｏ廻りに回転しつつ下方の破砕機１に木材を供給する略円筒状のタブ２を備えた木材破砕装置である。上面４６が略水平面とされた一体型の機台フレームＦを備える。機台フレームＦの上面４６の一部を上記タブ２の設置面部４７とする。機台フレームＦに点検用の開口部３０を設ける。破砕機１にて破砕されてなる破砕物を受ける略水平状の受部６ａと、受部６ａから斜め上方に向かって延びる延設部６ｂとを別個構成とする搬送コンベア６を備える。【選択図】図１
2005131518.tif 000002
【特許請求の範囲】
【請求項１】
軸心（Ｏ）廻りに回転しつつ下方の破砕機（１）に木材を供給する略円筒状のタブ（２）を備えた木材破砕装置であって、上面（４６）が略水平面とされた一体型の機台フレーム（Ｆ）を備え、この機台フレーム（Ｆ）の上面（４６）の一部を上記タブ（２）の設置面部（４７）としたことを特徴とする木材破砕装置。
【請求項２】
機台フレーム（Ｆ）に点検用の開口部（３０）を設けたことを特徴とする請求項１の木材破砕装置。
【請求項３】
上記破砕機（１）にて破砕されてなる破砕物を受ける略水平状の受部（６ａ）と、この受部（６ａ）から斜め上方に向かって延びる延設部（６ｂ）とを別個構成とする搬送コンベア（６）を備え、上記機台フレーム（Ｆ）の長手方向一端部側に上記タブ（２）を配置すると共に、上記機台フレーム（Ｆ）の長手方向他端部側に動力部（Ｗ）を配置し、さらに上記搬送コンベア（６）の延設部（６ｂ）を動力部（Ｗ）側から機台フレーム（Ｆ）外方へ延設したことを特徴とする請求項１又は請求項２の木材破砕装置。
【請求項４】
動力部（Ｗ）を支持する動力部用支持フレーム（６２）を、上記機台フレーム（Ｆ）の上面（４６）に取付けることを特徴とする請求項１〜請求項３のいずれかの木材破砕装置。
【発明の詳細な説明】
【技術分野】
【０００１】
この発明は、木材を破砕するための木材破砕装置に関するものである。
【背景技術】
【０００２】
木材を破砕するための木材破砕装置として、自走式の木材破砕装置（木材破砕機械）がある（例えば、特許文献１参照）。この自走式の木材破砕装置は、図１０に示すように、軸心廻りに回転しつつ下方の破砕機（図示省略）に木材を供給する略円筒状のタブ７２を備えた木材破砕装置である。この場合、機台（車体フレーム）７３の上面７６にタブ架台７７を取付け、このタブ架台７７上にタブ７２を配置していた。また、機台７３の上面７６には、エンジン等の動力部が支持されるエンジンフレーム７８が取付けられ、機台７３の下部側には走行体７４が付設されている。また、搬送コンベア７５は、破砕機からの破砕物を受ける略水平状の受部７５ａと、この受部７５ａから斜め上方に延びる延設部７５ｂとを有する。そして、木材をこのタブ７２に投入することによって、上記図示省略の破砕機（回転式破砕体）にて破砕して、その破砕物をこの破砕機の下方に案内して、搬送コンベア７５にて外部へ排出するものである。
【０００３】
ところで、上記特許文献１等に記載の木材破砕装置では、機台７３の上面７６にタブ架台７７を取付け、このタブ架台７７上にタブ７２を配置することによって、タブ高さ位置を高くしていた。すなわち、タブ７２の下方位置に搬送コンベア７５の略水平状の受部７５ａと延設部７５ｂとを配置するため、この受部７５ａ、延設部７５ｂと破砕機との間、破砕機とタブ７２との間、及び受部７５ａと地面との間の寸法を所定寸法だけ確保する必要があり、特に破砕物の排出高さＨを高くするため、Ａ部のタブ架台７７を高くする必要があり、タブ架台７７を介設することによって、タブ高さ位置を高くしてこれらの隙間寸法を確保していた。
【特許文献１】特開２０００−１５１２９号公報（第３−４頁、図２）
【発明の開示】
【発明が解決しようとする課題】
【０００４】
このため、上記のような木材破砕装置を組立てる際には、部品点数が多く、組立工数が多くなって、生産性に劣ると共に、コスト高となっていた。また、各部材の固定はボルト部材を使用する。このため、ボルト部材が多く使用され、破砕作業時等の振動によってボルト部材がナット部材に対して緩むものがあった。緩めば、ガタツキが生じ大きな騒音が発生したり、各種部材が損傷したりするおそれがあった。しかも、破砕機は機台７３に付設され、タブ７２はタブ架台７７に付設されるので、タブ７２と破砕機との間にタブ架台７７が介在して、タブ７２と破砕機との位置合わせも困難であった。すなわち、タブ７２と破砕機との位置合わせが正規でない場合、タブ７２内に投入された木材が破砕機に案内されにくく、破砕作業の能率低下を招くおそれがある。
【０００５】
この発明は、上記従来の欠点を解決するためになされたものであって、その目的は、組立性の向上及びコストの低減を図ることができ、しかも、破砕物の外部排出作業の信頼性が向上する木材破砕装置を提供することにある。
【課題を解決するための手段】
【０００６】
そこで請求項１の木材破砕装置は、軸心Ｏ廻りに回転しつつ下方の破砕機１に木材を供給する略円筒状のタブ２を備えた木材破砕装置であって、上面４６が略水平面とされた一体型の機台フレームＦを備え、この機台フレームＦの上面４６の一部を上記タブ２の設置面部４７としたことを特徴としている。
【０００７】
上記請求項１の木材破砕装置では、機台フレームＦの上面４６の一部を上記タブ２の設置面部４７としたので、機台フレームＦ上にタブ用の架台を設けることを省略することができる。
【０００８】
請求項２の木材破砕装置は、機台フレームＦに点検用の開口部３０を設けたことを特徴としている。
【０００９】
上記請求項２の木材破砕装置では、機台フレームＦに点検用の開口部３０を設けたので、この開口部３０を介して機台フレームＦの内部（内側）を観察したり点検したりすることができる。
【００１０】
請求項３の木材破砕装置は、上記破砕機１にて破砕されてなる破砕物を受ける略水平状の受部６ａと、この受部６ａから斜め上方に向かって延びる延設部６ｂとを別個構成とする搬送コンベア６を備え、上記機台フレームＦの長手方向一端部側に上記タブ２を配置すると共に、上記機台フレームＦの長手方向他端部側に動力部Ｗを配置し、さらに上記搬送コンベア６の延設部６ｂを動力部Ｗ側から機台フレーム外方へ延設したことを特徴としている。
【００１１】
上記請求項３の木材破砕装置では、上記搬送コンベア６の延設部６ｂを動力部Ｗ側から機台フレーム外方へ延設したので、タブ２に影響を受けることなく、この搬送コンベアの延設部６ｂの傾斜角度を調整することができる。これにより、機台フレームＦの上面４６の高さを、搬送コンベア６の略水平状の受部６ａと破砕機１との間、及びこの受部６ａと地面との間の寸法を十分確保することができる位置に設定できる。
【００１２】
請求項４の木材破砕装置は、動力部Ｗを支持する動力部用支持フレーム６２を、上記機台フレームＦの上面４６に取付けることを特徴としている。
【００１３】
上記請求項４の木材破砕装置では、高位の位置に配置される機台フレームＦの上面に、動力部Ｗを支持する動力部用支持フレーム６２が取付けられるので、搬送コンベア６の延設部６ｂを地面に対して大きく傾斜する角度でもって延設することができる。
【発明の効果】
【００１４】
請求項１の木材破砕装置によれば、機台フレーム上にタブ用の架台を設けることを省略できる。これにより、この装置の組立時の部品点数を減少でき、組立性の向上及びコストの低減を図ることができる。また、タブと機台フレームとの間に他の部材（架台）が介装されないので、タブと、機台フレーム側の破砕機との位置合わせが容易となり、この点でも組立性の向上を達成できる。さらに、組み付ける部品点数が少ない分、ボルト部材等の固定具の使用個数が少なく、破砕時等の振動に基づくボルト部材のナット部材に対する緩みによる装置ガタツキを抑えることができる。
【００１５】
請求項２の木材破砕装置によれば、開口部を介して機台フレームの内部（内側）を観察したり点検したりすることができる。これにより、タブ及び破砕機の下方側の点検が可能となって、例えば、タブ及び破砕機の下方側において破砕物が詰まっている場合等には、この詰まりを解消することができる。すなわち、メンテナンス性の向上を図ることができる。
【００１６】
請求項３の木材破砕装置によれば、機台フレームの上面の高さを、搬送コンベアの略水平状の受部と破砕機との間、及びこの受部と地面との間の寸法を十分確保することができる位置に設定できる。これにより、破砕機にて破砕されてなる破砕物を搬送コンベアの略水平状の受部にて安定して受けることができると共に、この受部にて受けた破砕物を確実に外部へ排出することができ、破砕物の外部排出作業の信頼性が向上する。
【００１７】
請求項４の木材破砕装置によれば、搬送コンベアの延設部を地面に対して大きく傾斜する角度でもって延設することができる。これにより、排出高さを高くでき、作業性が向上する。さらに木材破砕装置の長手方向長さを短く設定することができ、走行規制等を受けることなく、木材破砕装置を走行させることができる。これにより、破砕現場への移動が容易となる。
【発明を実施するための最良の形態】
【００１８】
次に、この発明の木材破砕装置の具体的な実施の形態について、図面を参照しつつ詳細に説明する。図１は木材破砕装置の側面図であり、図２はその背面図である。この木材破砕装置は自走式であって、破砕機１と、軸心Ｏ（図９参照）廻りに回転して破砕機１に木材を供給する略円筒状のタブ（回転式タブ）２とを備えたものである。そして、上記タブ２が付設されるタブ受フレーム３８及び破砕機１等は機台（機体）３に付設され、この機台３には走行体４が付設されている。また、タブ２の上部にはホッパ５が付設され、この固定式ホッパ５に木材を投入することによって、タブ２内に木材が供給される。これにより、木材を破砕機１にて破砕して、その破砕物（破砕片）をこの破砕機１の下方に供給して、搬送コンベア６にて外部へ排出するものである。なお、この木材破砕装置においては、走行体４を履帯式としたが、タイヤ式であってもよい。また、走行体４を設けずに定置式としたり、可搬式の木材破砕装置としたりしてもよい。
【００１９】
この場合、上記機台３は、その上面が略水平面とされた一体型の機台フレームＦを備え、この機台フレームＦの後方側において、上記タブ２が後述する駆動手段５３にて軸心廻りに回転可能に支持されている。また、固定式ホッパ５は後述するタブ受フレーム３８の立設される支柱７・・に支持され、その下端部がタブ２の上端部に遊嵌状に外嵌されている。そして、タブ２の下部側に上記破砕機１が配設されている。この場合、ホッパ５はその投入口８が水平面に対して傾斜しており、さらに、この投入口８には一部を覆う飛散防止カバー９が付設されている。また、機台フレームＦの前方側においては、エンジン囲い体１０が配置され、これによってエンジン室１１が構成されている。なお、このエンジン室1１とタブ２側との間には、各種の機器が収納される機器収納室１２が設けられる。この機器収納室１２は、収納室囲い体１３を機台フレームＦ上に配置することによって形成することができる。この実施形態において、搬送コンベア６が突出している方を前方と呼び、その反対側で、搬送コンベア６が突出していない方を後方と呼ぶ。
【００２０】
ところで、機台フレームＦは図３〜図７に示すように、本体枠１５と、この本体枠１５に連設されて上記走行体４の支持部を構成する脚部枠１６、１６とを備える。本体枠１５は、所定間隔を持って平行に配置される一対の基部フレーム１７ａ、１７ｂと、この基部フレーム１７ａ、１７ｂを連結する前後の連結フレーム１８ａ、１８ｂとを備える。基部フレーム１７ａ、１７ｂは、それぞれ上壁部１９ａ、１９ｂと側壁部２０ａ、２０ｂとを備え、側壁部２０ａ、２０ｂが上記連結フレーム１８ａ、１８ｂにて連結されている。
【００２１】
前方の連結フレーム１８ａは、図４と図７等に示すように、基部フレーム１７ａ、１７ｂの上壁部１９ａ、１９ｂに連続状となる上面壁２１と、側壁部２０ａ、２０ｂを連結する連結壁２２とを備える。また、上面壁２１と連結壁２２との間には補強部材２３、２３（図５参照）が介在されている。そして、後方の連結フレーム１８ｂは、断面コの字状の第１部材２４と、この第１部材２４に付設される板状に第２部材２５とからなる。
【００２２】
また、各脚部枠１６、１６は、その長手方向一端側（後端側）に走行体４のアイドラ２６（図１参照）が支持されるアイドラ支持部２７が形成され、その長手方向他端側（前端側）に走行体４のスプロケット２８（図１参照）が支持されるスプロケット支持部２９が形成されている。そして、側壁部２０ａ、２０ｂには、内部点検用の開口部３０、３０が設けられている。
【００２３】
そして、機台フレームＦには上記破砕機１が取付けられる。図４と図８に示すように、破砕機１は、保持枠３２と、この保持枠３２に支持されて略水平方向軸心廻りに回転する回転式破砕体３３と、この回転式破砕体３３の外周側を包囲状とするスクリーン部材３４等を備える。すなわち、保持枠３２は、前壁３２ａと、後壁３２ｂと、一対の側壁３２ｃ、３２ｄとを有し、各側壁３２ｃ、３２ｄに取付用の鍔部３１、３１が外方へ突設している。そして、この鍔部３１、３１が、上記機台３の機台フレームＦにボルト部材等の図示省略の固着具を介して固定されている。
【００２４】
そして、この機台フレームＦにはタブ受フレーム３８が設けられ、このタブ受フレーム３８に平面視矩形状の開口部３５（図９参照）が形成され、この開口部３５に対応して上記保持枠３２がタブ受フレーム３８の裏面側に配置される。この保持枠３２を設けることによって、平面視略矩形状の上方開口部３５を有する破砕機埋設部３６を設け、この破砕機埋設部３６に、その一部がこの上方開口部３５を介してタブ２内に露出するように回転式破砕体３３を埋設している。
【００２５】
回転式破砕体３３は回転ドラム３７を備え、両端部が上記保持枠３２に支持されている。すなわち、保持枠３２の前後壁３２ａ、３２ｂにそれぞれ切欠部３９、３９を形成し、各切欠部３９、３９の回転式破砕体３３の端部を嵌合させている。そして、回転式破砕体３３の両端部には、それぞれこの回転式破砕体３３の軸を回転駆動させるモータ（油圧モータ）４１、４１が連結されている。この回転ドラム３７にはその外周面に、複数の破砕部４２・・とプロテクタ４３・・とが設けられている。このため、この回転式破砕体３３の回転ドラム３７が回転することによって、破砕部４２が木材に当たって、この木材を破砕することができる。
【００２６】
また、保持枠３２内にはスクリーン部材３４が収納されている。このスクリーン部材３４は、その周壁４４に多数の排出孔４５・・を有する。このため、後述するように、回転式破砕体３３にて破砕されてなる破砕物のうち、スクリーン部材３４の排出孔４５を通過したものが搬送コンベア６に案内される。そして、搬送コンベア６は、図１と図２に示すように、破砕機１の下部側に配置される略水平状の第１部（受部）６ａと、この第１部６ａから前方に向かって斜め上方に延びる第２部（延設部）６ｂとを備え、スクリーン部材３４の排出孔４５を通過した所定粒度の破砕物を、第１部６ａにて受けこの第１部６ａから第２部６ｂへ搬送して、この第２部６ｂから外部へ排出するものである。この場合、受部６ａと延設部６ｂとを別個構成としている。すなわち、受部６ａと延設部６ｂとで別個のベルト及びモータを使用している。
【００２７】
ところで、破砕機１の上部にはタブ２が配置されることになる。すなわち、機台フレームＦの上面４６に受けられているタブ受フレーム３８上にタブ２が回転自在に配置される。この場合、図９に示すように、タブ受フレーム３８に、タブ２の周壁に転動する横ガイドローラ５０・・と、タブ２の周壁に設けられた図示省略の外鍔部を支持する縦ローラ５２・・とを配置すると共に、タブ２をその軸心Ｏ廻りに回転駆動させる駆動手段５３を設ける。駆動手段５３は、モータ（油圧モータ）５４と、タブ２の外周側に配置されるチェーン５５とを備える。すなわち、モータ５４の出力軸にスプロケット５６が取付けられると共に、タブ２の周壁にスプロケット（図示省略）が付設され、モータ５４側のスプロケット５６及びタブ２側のスプロケットに上記チェーン５５が噛合している。
【００２８】
また、モータの近傍には、チェーン５５にテンション力を付与するテンション付与機構５７が設けられている。テンション付与機構５７は、一端側が固定側に枢結される揺動アーム５８と、この揺動アーム５８の他端側に連結される弾性部材５９等を備える。そして、弾性部材５９の張力を調整することによって、チェーン５５へのテンション力を調整することができる。
【００２９】
ところで、タブ受フレーム３８とタブ２とホッパ５等はユニット化されて、図１と図３等に示すように、ユニット体Ｕを構成する。この場合、図３に示すように、タブ受フレーム３８に支持片６０、６０を設け、この支持片６０、６０を機台フレームＦの基部フレーム１７ａ、１７ｂの後端に設けられた支持片６１、６１に図示省略の支持ピンを介して枢結している。このため、ユニット体Ｕが機台フレームＦに対して、揺動可能に支持されている。したがって、機機台フレームＦの上面４６の長手方向一端部側（後方側）がユニット体Ｕを支持するタブ載置面部４７を構成することになる。なお、図１において、４８はユニットＵと機台フレームＦとの間に配設されるシリンダ機構であり、このシリンダ機構４８の駆動によって、ユニット体Ｕが機台フレームＦ上に配置される閉状態となったり、ユニット体Ｕが機台フレームＦに対して傾斜する開状態となったりする。
【００３０】
また、機台フレームＦの長手方向他端部側（前端側）に図３に示すように、動力部Ｗを配置している。ここで、動力部Ｗとは、エンジン、ラジエータ、冷却用ファン等にて構成することができ、これらが収納されたエンジン室１１（図１参照）がこの長手方向他端部側（前端側）に設けられることになる。この際、図３と図５に示すように、機台フレームＦの上面４６の前端側に動力部Ｗを支持する動力部用支持フレーム６２を取付け、この動力部用支持フレーム６２上に上記エンジン囲い体１０を配置する。そして、上記したように、このエンジン囲い体１０の内部にエンジン等を収納することになる。
【００３１】
ところで、搬送コンベア６は、その受部６ａが図１と図２に示すように機台フレームＦに前後の支持部材６４、６５にて地面より浮いた状態で支持され、その延設部６ｂが、機台フレームＦの前端から前方へ突設される上支持部材６６にてその上下方向略中間部が支持され、機台フレームＦの前端から前方へ突設される下支持部材６７にてその下端部が支持されている。また、受部６ａの前端側には図示省略のゴムシュートを有する破砕物案内部材が付設され、この受部６ａにて延設部６ｂ側に搬送されてきた破砕物を外部にこぼすことなく延設部６ｂに移行させることができる。そして、機台フレームＦに設けられた開口部３０、３０を介して、搬送コンベア６の受部６ａを観察することができる。
【００３２】
上記した木材破砕装置では、テンション付与機構５７により、チェーン５５に付与するテンション力を調整して、モータ３６を駆動すると、チェーン５５がエンドレス状に走行し、このチェーン５５の走行力がタブ２側のスプロケットを介してタブ２に伝達され、タブ２はその軸心Ｏ廻りに回転する。これによって、投入口８からホッパ５に投入された木材は、回転しているタブ２内に供給され、タブ２内に入った木材は下部の破砕機１に導入される。これによって、木材はこの破砕機１にて破砕されて、破砕物のうちスクリーン部材３４の排出孔４５を通過する所定粒度のものが、このスクリーン部材３４の排出孔４５を介して下方へ排出される。そして、スクリーン部材３４の排出孔４５を介して下方へ排出される破砕物は、破砕機１の下方側に位置する搬送コンベア６を介して外部へ搬送されることになる。
【００３３】
上記木材破砕装置では、機台フレームＦの上面４６の一部をタブ２の設置面部４７としたので、機台フレームＦ上にタブ用の架台を設けることを省略することができる。このため、この装置の組立時の部品点数を減少でき、組立性の向上及びコストの低減を図ることができる。また、タブ２と機台フレームＦとの間に他の部材（架台）が介装されないので、タブ２と、機台フレームＦ側の破砕機１との位置合わせが容易となり、この点でも組立性の向上を達成できる。さらに、組み付ける部品点数が少ない分、ボルト部材等の固定具の使用個数が少なく、破砕時等の振動に基づくボルト部材のナット部材に対する緩みによる装置ガタツキを抑えることができる。
【００３４】
機台フレームに点検用の開口部３０、３０を設けたので、この開口部３０、３０を介して機台フレームＦの内部（内側）を観察したり点検したりすることができる。これにより、タブ２及び破砕機１の下方側の点検が可能となって、例えば、タブ２及び破砕機１の下方側において破砕物が詰まっている場合等には、この詰まりを解消することができる。すなわち、メンテナンス性の向上を図ることができる。
【００３５】
上記搬送コンベア６の延設部６ｂを動力部Ｗ側から機台フレーム外方へ延設したので、タブ２に影響を受けることなく、この搬送コンベア６の延設部６ｂの傾斜角度を調整することができる。これにより、機台フレームＦの上面４６の高さを、搬送コンベア６の略水平状の受部６ａと破砕機１との間、及びこの受部６ａと地面との間の寸法を十分確保することができる位置に設定できる。従って、破砕機１にて破砕されてなる破砕物を搬送コンベア６の略水平状の受部６ａにて安定して受けることができると共に、この受部６ａにて受けた破砕物を確実に外部へ排出することができ、破砕物の外部排出作業の信頼性が向上する。
【００３６】
また、高位の位置に配置される機台フレームＦの上面４６に、動力部Ｗを支持する動力部用支持フレーム６２が取付けられるので、搬送コンベア６の延設部６ｂを地面に対して大きく傾斜する角度でもって延設することができる。これにより、排出高さを高くでき、作業性が向上する。さらに木材破砕装置の長手方向長さを短く設定することができ、走行規制等を受けることなく、木材破砕装置を走行させることができる。これにより、破砕現場への移動が容易となる。
【００３７】
以上にこの発明の具体的な実施の形態について説明したが、この発明は上記形態に限定されるものではなく、この発明の範囲内で種々変更して実施することができる。例えば、上記実施形態では、タブ２の上部に木材投入用のホッパ５を設けたが、このようなホッパ５を設けないものであってもよく、また、ホッパ５を設ける場合であっても、その投入口８が水平面に対して傾斜しないものであってもよい。さらに、搬送コンベア６の受部６ａ及び延設部６ｂの傾斜角度としては、任意に設定できるが、受部６ａとしては、スクリーン部材３４からの破砕物を受けることができると共に、この受けた破砕物を傾斜部６ｂに搬送することができればよく、また、延設部６ｂとしては、受部６ａからの破砕物を受けて装置外部へ搬送できると共に、装置全体の長さ寸法があまり大とならない範囲に設定できる。
【図面の簡単な説明】
【００３８】
【図１】この発明の木材破砕装置の実施形態を示す側面図である。
【図２】上記木材破砕装置の背面図である。
【図３】上記木材破砕装置の機台フレームの側面図である。
【図４】上記木材破砕装置の機台フレームの平面図である。
【図５】上記木材破砕装置の機台フレームの正面図である。
【図６】上記木材破砕装置の機台フレームの背面図である。
【図７】上記木材破砕装置の機台フレームの断面図である。
【図８】上記木材破砕装置の破砕機の断面図である。
【図９】上記タブの平面図である。
【図１０】従来の木材破砕装置の側面図である。
【符号の説明】
【００３９】
１・・破砕機、２・・タブ、６・・機台フレーム、６ａ・・受部、６ｂ・・延設部、３０・・開口部、４６・・上面、４７・・タブ載置面部、６２・・動力部用支持フレーム、Ｆ・・機台フレーム、Ｏ・・軸心、Ｗ・・動力部
【図１】
2005131518.tif 000003
【図２】
2005131518.tif 000004
【図３】
2005131518.tif 000005
【図４】
2005131518.tif 000006
【図５】
2005131518.tif 000007
【図６】
2005131518.tif 000008
【図７】
2005131518.tif 000009
【図８】
2005131518.tif 000010
【図９】
2005131518.tif 000011
【図１０】
2005131518.tif 000012